【手続補正書】
【提出日】平成22年1月22日(2010.1.22)
【手続補正１】
【補正対象書類名】特許請求の範囲
【補正対象項目名】全文
【補正方法】変更
【補正の内容】
【特許請求の範囲】
【請求項１】
情報の送受信が可能となるように接続された複数の記録装置のうち、少なくともいずれか一つの記録装置に搭載された記録部へコンテンツを記録するように、当該記録装置へ記録の指示を行う記録制御装置であって、
前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、
各記録装置で二次記録可能な記録媒体の記録画質に関する情報を少なくとも含む属性情報を管理する管理手段と、
少なくともいずれか一つの記録装置に記録させるコンテンツの画質情報を取得する取得手段と、
前記コンテンツの画質情報と、前記記録媒体の記録画質に関する情報とに基づいて、前記コンテンツの画質以上の記録画質で記録が可能な記録媒体へ二次記録可能な記録装置を、前記コンテンツを一次記録する記録装置として選択する選択手段と、
前記選択した記録装置に対して、前記コンテンツを前記記録部に一次記録するように指示する指示手段と、
を有することを特徴とする記録制御装置。
【請求項２】
前記記録制御装置はさらに、前記コンテンツのデータ量を算出する算出手段を有し、
前記管理手段は前記各記録装置で二次記録可能な記録媒体の記録可能容量に関する情報を管理するとともに、
前記コンテンツの画質以上の記録画質で記録が可能な記録媒体へ二次記録可能な記録装置が複数接続されている場合、前記選択手段は、前記記録媒体の記録可能容量が前記算出手段で算出された前記コンテンツのデータ量以上である記録媒体へ二次記録可能な記録装置が存在するか否かを判定し、前記記録媒体の記録可能容量が前記コンテンツのデータ量以上である記録媒体へ二次記録可能な記録装置が存在する場合に、当該記録装置を前記コンテンツを一次記録する記録装置として選択することを特徴とする請求項１に記載の記録制御装置。
【請求項３】
情報の送受信が可能となるように接続された複数の記録装置のうち、少なくともいずれか一つの記録装置に搭載された記録部へコンテンツを記録するように、当該記録装置へ記録の指示を行う記録制御装置であって、
前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、
各記録装置で二次記録可能な記録媒体の種別に関する情報を少なくとも含む属性情報を管理する管理手段と、
少なくともいずれか一つの記録装置に記録させるコンテンツに関連付けられて定められた、当該コンテンツの記録が可能な記録媒体の種別を示す記録制限情報を取得する取得手段と、
前記コンテンツの記録制限情報と、前記記録媒体の種別に関する情報とに基づいて、前記コンテンツの記録が可能な記録媒体に当該コンテンツを二次記録可能な記録装置を、前記コンテンツを一次記録する記録装置として選択する選択手段と、
前記選択した記録装置に対して、前記コンテンツを前記記録部に一次記録するように指示する指示手段と、
を有することを特徴とする記録制御装置。
【請求項４】
情報の送受信が可能となるように接続された複数の記録装置のうち、少なくともいずれか一つの記録装置に搭載された記録部へコンテンツを記録するように、当該記録装置へ記録の指示を行う記録制御装置の制御方法であって、
前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、
各記録装置で二次記録可能な記録媒体の記録画質に関する情報を少なくとも含む属性情報を記憶部に管理する管理ステップと、
少なくともいずれか一つの記録装置に記録させるコンテンツの画質情報を取得する取得ステップと、
前記コンテンツの画質情報と、前記記録媒体の記録画質に関する情報とに基づいて、前記コンテンツの画質以上の記録画質で記録が可能な記録媒体へ二次記録可能な記録装置を、前記コンテンツを一次記録する記録装置として選択する選択ステップと、
前記選択した記録装置に対して、前記コンテンツを前記記録部に一次記録するように指示する指示ステップと、
を有することを特徴とする記録制御装置の制御方法。
【請求項５】
前記コンテンツのデータ量を算出する算出ステップを有し、
前記管理ステップでは前記各記録装置で二次記録可能な記録媒体の記録可能容量に関する情報を管理するとともに、
前記コンテンツの画質以上の記録画質で記録が可能な記録媒体へ二次記録可能な記録装置が複数接続されている場合、前記選択ステップでは、前記記録媒体の記録可能容量が前記算出ステップで算出された前記コンテンツのデータ量以上である記録媒体へ二次記録可能な記録装置が存在するか否かを判定し、前記記録媒体の記録可能容量が前記コンテンツのデータ量以上である記録媒体へ二次記録可能な記録装置が存在する場合に、当該記録装置を前記コンテンツを一次記録する記録装置として選択することを特徴とする請求項４に記載の記録制御装置の制御方法。
【請求項６】
情報の送受信が可能となるように接続された複数の記録装置のうち、少なくともいずれか一つの記録装置に搭載された記録部へコンテンツを記録するように、当該記録装置へ記録の指示を行う記録制御装置の制御方法であって、
前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、
各記録装置で二次記録可能な記録媒体に関する情報を少なくとも含む属性情報を記憶部に管理する管理ステップと、
少なくともいずれか一つの記録装置に記録させるコンテンツを記録媒体に記録する際の制限情報を取得する取得ステップと、
前記コンテンツの制限情報と、前記記録媒体に関する情報とに基づいて、前記コンテンツの画質以上の記録画質で記録が可能な記録媒体へ二次記録可能な記録装置を、前記コンテンツを一次記録する記録装置として選択する選択ステップと、
前記選択した記録装置に対して、前記コンテンツを前記記録部に一次記録するように指示する指示ステップと、
を有することを特徴とする記録制御装置の制御方法。
【手続補正２】
【補正対象書類名】明細書
【補正対象項目名】００１７
【補正方法】変更
【補正の内容】
【００１７】
上記目的を達成するために、本発明にかかる記録制御装置は、情報の送受信が可能となるように接続された複数の記録装置のうち、少なくともいずれか一つの記録装置に搭載された記録部へコンテンツを記録するように、当該記録装置へ記録の指示を行う記録制御装置であって、前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、各記録装置で二次記録可能な記録媒体の記録画質に関する情報を少なくとも含む属性情報を管理する管理手段と、少なくともいずれか一つの記録装置に記録させるコンテンツの画質情報を取得する取得手段と、前記コンテンツの画質情報と、前記記録媒体の記録画質に関する情報とに基づいて、前記コンテンツの画質以上の記録画質で記録が可能な記録媒体へ二次記録可能な記録装置を、前記コンテンツを一次記録する記録装置として選択する選択手段と、前記選択した記録装置に対して、前記コンテンツを前記記録部に一次記録するように指示する指示手段と、を有する。
【手続補正３】
【補正対象書類名】明細書
【補正対象項目名】００１８
【補正方法】変更
【補正の内容】
【００１８】
また、上記目的を達成するために、本発明にかかる記録制御装置は、情報の送受信が可能となるように接続された複数の記録装置のうち、少なくともいずれか一つの記録装置に搭載された記録部へコンテンツを記録するように、当該記録装置へ記録の指示を行う記録制御装置であって、前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、各記録装置で二次記録可能な記録媒体の種別に関する情報を少なくとも含む属性情報を管理する管理手段と、少なくともいずれか一つの記録装置に記録させるコンテンツに関連付けられて定められた、当該コンテンツの記録が可能な記録媒体の種別を示す記録制限情報を取得する取得手段と、前記コンテンツの記録制限情報と、前記記録媒体の種別に関する情報とに基づいて、前記コンテンツの記録が可能な記録媒体に当該コンテンツを二次記録可能な記録装置を、前記コンテンツを一次記録する記録装置として選択する選択手段と、前記選択した記録装置に対して、前記コンテンツを前記記録部に一次記録するように指示する指示手段と、を有する。
【手続補正４】
【補正対象書類名】明細書
【補正対象項目名】００１９
【補正方法】変更
【補正の内容】
【００１９】
また、上記目的を達成するために、本発明にかかる記録制御装置の制御方法は、情報の送受信が可能となるように接続された複数の記録装置のうち、少なくともいずれか一つの記録装置に搭載された記録部へコンテンツを記録するように、当該記録装置へ記録の指示を行う記録制御装置の制御方法であって、前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、各記録装置で二次記録可能な記録媒体の記録画質に関する情報を少なくとも含む属性情報を記憶部に管理する管理ステップと、少なくともいずれか一つの記録装置に記録させるコンテンツの画質情報を取得する取得ステップと、前記コンテンツの画質情報と、前記記録媒体の記録画質に関する情報とに基づいて、前記コンテンツの画質以上の記録画質で記録が可能な記録媒体へ二次記録可能な記録装置を、前記コンテンツを一次記録する記録装置として選択する選択ステップと、前記選択した記録装置に対して、前記コンテンツを前記記録部に一次記録するように指示する指示ステップと、を有する。
【手続補正５】
【補正対象書類名】明細書
【補正対象項目名】００２０
【補正方法】変更
【補正の内容】
【００２０】
また、上記目的を達成するために、本発明にかかる記録制御装置の制御方法は、情報の送受信が可能となるように接続された複数の記録装置のうち、少なくともいずれか一つの記録装置に搭載された記録部へコンテンツを記録するように、当該記録装置へ記録の指示を行う記録制御装置の制御方法であって、前記複数の記録装置は、前記記録制御装置から指示されたコンテンツを前記記録部に一次記録した後、当該コンテンツを前記記録部とは異なる記録媒体にコピーまたはムーブすることにより二次記録する機能を備えており、各記録装置で二次記録可能な記録媒体に関する情報を少なくとも含む属性情報を記憶部に管理する管理ステップと、少なくともいずれか一つの記録装置に記録させるコンテンツを記録媒体に記録する際の制限情報を取得する取得ステップと、前記コンテンツの制限情報と、前記記録媒体に関する情報とに基づいて、前記コンテンツの画質以上の記録画質で記録が可能な記録媒体へ二次記録可能な記録装置を、前記コンテンツを一次記録する記録装置として選択する選択ステップと、前記選択した記録装置に対して、前記コンテンツを前記記録部に一次記録するように指示する指示ステップと、を有する。